(57)【要約】【課題】ミキサの出力に含まれる不要信号成分を少ないフィルタで十分に抑圧する。【解決手段】中間周波信号発生回路２１と周波数変換回路２５の間に第１のレベル可変手段２２を設け、周波数変換回路２５と出力端子３１の間に第２のレベル可変手段３０を設ける。制御部５０は、指定された目的信号の周波数に対して、周波数変換回路２５で発生する低次のマルチプルレスポンス成分とローカル信号のリーク成分がともにフィルタ回路２８の通過帯域外となる場合、第１、第２のレベル可変手段２２、３０の利得Ｇ１、Ｇ２をそれぞれ基準値に設定し、マルチプルレスポンス成分のみが通過帯域内に入る場合、利得Ｇ１を基準値からΔＧａ減少させ、利得Ｇ２を基準値からΔＧａ増加させ、リーク成分のみが通過帯域内に入る場合、利得Ｇ１を基準値からΔＧｂ増加させ、利得Ｇ２を基準値からΔＧｂ減少させ、目的信号のレベルを維持したまま不要信号成分のレベルを減少させる。【選択図】図１
2019080121.tif 000002
【特許請求の範囲】
【請求項１】
所定周波数の中間周波信号を生成出力する中間周波信号発生回路（２１）と、
所定範囲で周波数可変されるローカル信号を出力するローカル信号発生回路（２７）、前記ローカル信号と前記中間周波信号とを混合するミキサ（２６）、前記ミキサの出力から、前記中間周波信号と前記ローカル信号の和の周波数成分または差の周波数成分を目的信号として抽出するためのフィルタ回路（２８）を含む周波数変換回路（２５）と、
前記周波数変換回路に入力する前記中間周波信号のレベルを可変するための第１のレベル可変手段（２２）と、
前記周波数変換回路から出力された信号を受けてそのレベルを可変して出力する第２のレベル可変手段（３０）と、
前記目的信号の所望の周波数を指定させる目的信号周波数指定手段（５１）と、
前記目的信号周波数指定手段で指定された目的信号の周波数に対応するローカル信号の周波数を、前記周波数変換回路に設定するローカル信号周波数設定手段（５２）と、
前記指定された目的信号の周波数に対応する前記ローカル信号の周波数と、前記中間周波信号と前記ローカル信号とで生じる低次のマルチプルレスポンス成分の周波数がともに前記フィルタ回路の通過帯域の外側にある場合には、前記第２のレベル可変手段から出力される信号のレベルが目標値となるために必要な前記第１のレベル可変手段の利得を第１の基準値、前記第２のレベル可変手段の利得を第２の基準値とし、前記ローカル信号の周波数が前記フィルタ回路の通過帯域の外側にあり、且つ、前記低次のマルチプルレスポンス成分の周波数が前記フィルタ回路の通過帯域の内側にある場合には、前記第１のレベル可変手段の利得を、前記第１の基準値より、前記ミキサの出力信号に含まれる前記目的信号のレベルに対して前記低次のマルチプルレスポンス成分の最大レベルを許容値以下にするために必要な第１の所定量分小さい値にするとともに、前記第２のレベル可変手段の利得を前記第２の基準値より前記第１の所定量だけ大きな値とし、前記ローカル信号の周波数が前記フィルタ回路の通過帯域の内側にあり、且つ、前記低次のマルチプルレスポンス成分の周波数が前記フィルタ回路の通過帯域の外側にある場合には、前記第１のレベル可変手段の利得を、前記第１の基準値より、前記ミキサの出力信号に含まれる前記目的信号のレベルに対して前記ローカル信号のリーク成分のレベルを前記許容値以下にするために必要な第２の所定量だけ大きな値にするとともに、前記第２のレベル可変手段の利得を前記第２の基準値より前記第２の所定量だけ少ない値とする利得設定手段（５３）とを備えていることを特徴とする信号発生器。
【請求項２】
前記利得設定手段は、予め目的信号の周波数毎に、前記第１のレベル可変手段および第２のレベル可変手段に設定するための利得値を記憶している利得情報記憶手段（５４）から利得値を読み出して前記第１のレベル可変手段および第２のレベル可変手段に設定することを特徴とする請求項１記載の信号発生器。
【請求項３】
前記目的信号の周波数毎に前記第２のレベル可変手段から出力される信号のレベルまたは該レベルと前記目標値との差のデータを補正データとして記憶している補正データ記憶手段（５６）と、
前記補正データ記憶手段に記憶されている補正データにより、前記周波数変換回路に入力される前記中間周波信号のレベルまたは前記第２のレベル可変手段から出力される信号のレベルを補正して、第２のレベル可変手段から出力される信号のレベルを前記目標値に一致させるレベル誤差補正手段（５７）とを備えたことを特徴とする請求項１または請求項２記載の信号発生器。
【請求項４】
前記第２のレベル可変手段から出力される信号のレベルを検出するためのレベル検出手段（３５）と、
前記レベル検出手段によって検出されるレベルが前記目標値に一致するように、前記周波数変換回路に入力される前記中間周波信号のレベルまたは前記第２のレベル可変手段から出力される信号のレベルを補正するレベル誤差補正手段（５７′）が設けられていることを特徴とする請求項１または請求項２記載の信号発生器。
【請求項５】
前記周波数変換回路の前記フィルタ回路は、通過帯域が異なる複数のフィルタ（２８ａ、２８ｂ）と、該複数のフィルタのうち、前記目的信号の周波数を通過させるフィルタを選択的に用いるスイッチ（２９ａ、２９ｂ）とを有しており、
前記利得設定手段は、前記複数のフィルタの各通過帯域毎に、前記第１のレベル可変手段および第２のレベル可変手段の利得を設定することを特徴とする請求項１〜４のいずれかに記載の信号発生器。
【請求項６】
所定周波数の中間周波信号を生成出力する中間周波信号発生回路（２１）と、
所定範囲で周波数可変されるローカル信号を出力するローカル信号発生回路（２７）、前記ローカル信号と前記中間周波信号とを混合するミキサ（２６）、前記ミキサの出力から、前記中間周波信号と前記ローカル信号の和の周波数成分または差の周波数成分を目的信号として抽出するためのフィルタ回路（２８）を含む周波数変換回路（２５）と、
前記周波数変換回路に入力する前記中間周波信号のレベルを可変するための第１のレベル可変手段（２２）と、
前記周波数変換回路から出力された信号を受けてそのレベルを可変して出力する第２のレベル可変手段（３０）とを有する信号発生器の信号発生方法であって、
前記目的信号の所望の周波数を指定する段階と、
前記指定した目的信号の周波数に対応するローカル信号の周波数を、前記周波数変換回路に設定する段階と、
前記指定した目的信号の周波数に対応する前記ローカル信号の周波数と、前記中間周波信号と前記ローカル信号とで生じる低次のマルチプルレスポンス成分の周波数がともに前記フィルタ回路の通過帯域の外側にある場合には、前記第２のレベル可変手段から出力される信号のレベルが目標値となるために必要な前記第１のレベル可変手段の利得を第１の基準値、前記第２のレベル可変手段の利得を第２の基準値と設定し、前記ローカル信号の周波数が前記フィルタ回路の通過帯域の外側にあり、且つ、前記低次のマルチプルレスポンス成分の周波数が前記フィルタ回路の通過帯域の内側にある場合には、前記第１のレベル可変手段の利得を、前記第１の基準値より、前記ミキサの出力信号に含まれる前記目的信号のレベルに対して前記低次のマルチプルレスポンス成分の最大レベルを許容値以下にするために必要な第１の所定量分小さい値にするとともに、前記第２のレベル可変手段の利得を前記第２の基準値より前記第１の所定量だけ大きな値に設定し、前記ローカル信号の周波数が前記フィルタ回路の通過帯域の内側にあり、且つ、前記低次のマルチプルレスポンス成分の周波数が前記フィルタ回路の通過帯域の外側にある場合には、前記第１のレベル可変手段の利得を、前記第１の基準値より、前記ミキサの出力信号に含まれる前記目的信号のレベルに対して前記ローカル信号のリーク成分のレベルを前記許容値以下にするために必要な第２の所定量だけ大きな値にするとともに、前記第２のレベル可変手段の利得を前記第２の基準値より前記第２の所定量だけ少ない値に設定する段階とを含むことを特徴とする信号発生器の信号発生方法。
【発明の詳細な説明】
【技術分野】
【０００１】
本発明は、中間周波帯の信号をローカル信号とミキシングし、その出力から目的信号をフィルタで抽出するアップコンバージョン式の周波数変換回路を有する信号発生器において、目的信号の周波数可変幅が中間周波数以上に広い場合であっても、多数のフィルタおよびフィルタ切替え用のスイッチを用いることなく、不要信号成分を抑圧して、フィルタの出力信号のレベルから目的信号のレベルを高い確度で特定できるようにするための技術に関する。
【背景技術】
【０００２】
携帯電話等の無線通信機器が通信に用いる電波の周波数帯は年々高くなっており、それに応じて無線通信機器の試験を行なう試験装置が必要とする試験用信号の周波数も高くなってきている。これに対し、無線周波数帯の試験用信号を直接的にかつ通信に割当てられている周波数帯域の広い範囲に渡って可変できるように生成することは困難であるので、通常は、試験に必要な情報を含む信号を無線周波数帯より低い所定の中間周波数の信号として生成し、これをヘテロダイン方式の周波数変換回路に与えて、無線周波数帯内の所望周波数の信号に変換している。
【０００３】
ヘテロダイン方式の周波数変換回路は、図９に示しているように、中間周波数ｆＩＦの信号（以下、中間周波信号と呼ぶ）ＳＩＦと、周波数ｆＬＯＣが可変されるローカル信号ＳＬＯＣとを非線形素子であるミキサ１に入力し、そのミキサ１の出力に含まれる信号から、入力信号同士の差の周波数（｜ｆＬＯＣ−ｆＩＦ｜）あるいは和の周波数（ｆＬＯＣ＋ｆＩＦ）の信号成分のどちらかを目的信号ＳＲＦとしてフィルタ２（通常はバンドパスフィルタ）により抽出するものであり、ローカル信号ＳＬＯＣの周波数ｆＬＯＣの可変幅をＦｗとすれば、目的信号ＳＲＦの周波数ｆＲＦもＦｗの幅で可変させることができ、その場合、フィルタ２の通過帯域を目的信号ＳＲＦの周波数範囲に対応させる。
【０００４】
一般的に、非線形性を有する回路に、２つの信号を入力した場合、その出力には、入力された２信号（そのリーク成分の場合もある）の他に、入力された２信号のそれぞれの高調波成分、入力された２信号の基本波同士の和と差の周波数の成分、一方の基本波と他方の高調波の和と差の周波数の成分および高調波同士の和と差の周波数の成分が含まれる。ここで、入力した２信号の基本波および高調波を含んだ和と差の周波数成分は、整数ｎ、ｍを用いてｎ・ｆＩＦ±ｍ・ｆＬＯＣで表され、基本波同士（ｎ＝ｍ＝１）の和と差の周波数成分ｆＩＦ±ｆＬＯＣの一方を目的信号とすれば、他方はそのイメージ成分である。
【０００５】
また、ｎまたはｍの少なくとも一方が２以上のときの和と差の周波数成分は、増幅器等の場合は（ｎ＋ｍ）次の相互変調積と呼ぶが、周波数変換に用いるミキサのような非線形素子の場合にはｍ×ｎスプリアスやマルチプルレスポンスと呼んでいる。以下の説明では、上記周波数成分をマルチプルレスポンス成分と呼び、その次数をｎとｍの大きい方で数えるものとする。このマルチプルレスポンス成分は、基本的に次数が高くなるほどレベルが下がり、通常、２次あるいは３次程度までの低次のものを考慮すればよいとされている。
【０００６】
また、周波数変換用のミキサ１としては、通常、入力信号に対する通り抜けが少ない（アイソレーションが高い）２重平衡型のミキサ（ＤＢＭ）が用いられ、ローカル信号ＳＬＯＣによる中間周波信号ＳＩＦのスイッチング処理を行なうが、このスイッチング動作に影響を与えないように、中間周波信号ＳＩＦのレベルをローカル信号ＳＬＯＣのレベルに対して十分小さく（例えば−２０ｄＢ）設定する。
【０００７】
したがって、ミキサ１の出力に含まれる信号のうち、中間周波信号ＳＩＦの高次高調波成分および５次以上の高次のマルチプルレスポンス成分については、目的信号ＳＲＦのレベルに対して十分小さく無視することができるが、レベルが高いローカル信号ＳＬＯＣのリーク成分や高調波成分、目的信号ＳＲＦのイメージ成分、低次（２次あるいは３次まで）のマルチプルレスポンス成分については、目的信号ＳＲＦのレベルに対して無視できないレベルとなる可能性が高い。
【０００８】
目的信号ＳＲＦの周波数可変範囲を所望範囲にするための中間周波数ｆＩＦやローカル信号ＳＬＯＣの周波数の選び方は無限に存在するが、一般的には、目的信号ＳＲＦとイメージ成分の周波数差を大きくするために中間周波数ｆＩＦを比較的高くするとともに、レベルが高いローカル信号ＳＬＯＣの２、３次の高調波や、中間周波数の信号ＳＩＦの２次、３次の高調波がフィルタ２の通過帯域に入らないような周波数の組合せを選択する。
【０００９】
例えば、図１０のように、中間周波数ｆＩＦを５ＧＨｚ、目的信号ＳＲＦの周波数ｆＲＦの可変範囲およびフィルタの通過帯域を２７±２ＧＨｚの４ＧＨｚ幅の範囲とすると、ローカル信号ＳＬＯＣの周波数ｆＬＯＣを２２±２ＧＨｚの範囲に設定すればよい（和の周波数変換の場合）。この場合、イメージ成分は１７±２ＧＨｚの範囲となり、ローカル信号ＳＬＯＣの２次以上の高調波は２×（２２±２）ＧＨｚ以上となり、いずれもフィルタの通過帯域から十分離れる。さらに、中間周波信号ＳＩＦの高調波のうち、２〜４倍の高調波および６倍以上の高調波はフィルタの通過帯域に入らず、５倍の高調波（２５ＧＨｚ）がフィルタの通過帯域２２±２ＧＨｚに入るが、中間周波信号ＳＩＦのレベルに対してその５倍の高調波のレベルは目的信号ＳＲＦのレベルに対して十分小さい。
【００１０】
また、上記のように、中間周波数ｆＩＦ（＝５ＧＨｚ）より周波数可変幅Ｆｗ（＝４ＧＨｚ）が小さい場合、ローカル信号ＳＬＯＣのリーク成分（２２±２ＧＨｚ）はフィルタの通過帯域２７±２ＧＨｚに入らず、２次のマルチプルレスポンス成分の（２×５）±（２２±２）ＧＨｚは、３２±２ＧＨｚ、１２±２ＧＨｚの範囲となり、別の２次のマルチプルレスポンス成分の２×（２２±２）±５ＧＨｚは、３９±４ＧＨｚ、４９±４ＧＨｚの範囲となり、いずれもフィルタの通過帯域に入らない。３次以上のマルチプルレスポンス成分についてはフィルタの通過帯域に入る場合があるが、２次のマルチプルレスポンス成分よりレベルが低いものとして、ここでは無視する。
【００１１】
したがって、上記のように各周波数を設定した場合には、フィルタから出力される信号のレベルが目的信号のレベルに高い確度で対応していると見なせ、これを例えば検波回路で検波して得られる検波値から、目的信号のレベル値を高い確度で特定するレベル校正が可能である。
【００１２】
ところが、周波数可変幅Ｆｗが中間周波数ｆＩＦ以上の場合、前記したローカル信号ＳＬＯＣのリーク成分や２次のマルチプルレスポンス成分がフィルタの通過帯域内に入ってしまう。
【００１３】
例えば、図１１のように、周波数可変幅Ｆｗを８ＧＨｚ（＝±４ＧＨｚ）とすると、ローカル信号ＳＬＯＣの周波数ｆＬＯＣは２２±４ＧＨｚの範囲となり、その一部がフィルタの通過帯域２７±４ＧＨｚの範囲に入ってしまう。また、例えば２次のマルチプルレスポンス成分（２×５）＋（２２±４）ＧＨｚが３２±４ＧＨｚの範囲となり、２×（２２±４）−５ＧＨｚが３９±８ＧＨｚの範囲となり、それぞれの一部がフィルタの通過帯域に入ってしまう。
【００１４】
このように、比較的レベルの大きいローカル信号ＳＬＯＣのリーク成分や低次のマルチプルレスポンス成分がフィルタの帯域に入ってしまうと、フィルタの出力信号のレベルが目的信号ＳＲＦのレベルに正確に対応しなくなり、この出力信号のレベルから目的信号ＳＲＦのレベルを正確に把握することが困難となる。
【００１５】
これを防ぐために、従来では、図１２に示しているように、目的信号ＳＲＦの周波数可変範囲を、異なる通過帯域Ｂａｎｄ１〜Ｂａｎｄ３の複数Ｍ（図では３つ）のフィルタでカバーするようにし、目的信号ＳＲＦの周波数可変範囲内に入るローカル信号ＳＬＯＣのリーク成分や２次のマルチプルレスポンス成分を抑圧する方法が取られている。この場合、例えば、各フィルタの通過帯域Ｂａｎｄ１〜Ｂａｎｄ３を、目的信号の周波数可変範囲（２７±４ＧＨｚ）を３等分する範囲に設定すると、目的信号の周波数がＢａｎｄ１にある間は、ローカル信号の周波数はＢａｎｄ１の下限より低い範囲にあり、２次のマルチプルレスポンス成分はＢａｎｄ１の上限よりも高い範囲にある。目的信号の周波数がＢａｎｄ２にある間やＢａｎｄ３にある場合も同様に、ローカル信号の周波数も２次のマルチプルレスポンス成分もその通過帯域の外側にある。したがって、上記のように、目的信号とローカル信号が同時に出力されず、また、目的信号と２次のマルチプルレスポンス成分とが同時に出力されないような通過帯域をもつ複数のフィルタを用いることで、これらの不要信号成分を抑圧して目的信号のみを抽出することかできる。
【００１６】
この場合、図１３のように、ミキサ１の出力側に、通過帯域が異なる複数のフィルタ２Ａ、２Ｂ、２Ｃと、これらを選択的に切り替えるスイッチ３、４を設け、目的信号の周波数に応じて、フィルタ切替えを行なう構成となる。
【００１７】
このように、目的信号の周波数可変範囲に含まれる不要信号成分をその周波数可変範囲より狭い通過帯域のフィルタを用いて低減する技術は、従来から広く知られている（例えば特許文献１）。
【先行技術文献】
【特許文献】
【００１８】
【特許文献１】特開平７−２２９７１号公報
【発明の概要】
【発明が解決しようとする課題】
【００１９】
しかしながら、上記のように、不要信号成分と目的信号が同時に出力されないようにそれぞれの通過帯域が設定された複数のフィルタを切り替える方式では、回路全体が大掛かりになり、コスト高で、装置が大型化するという問題がある。また、フィルタを選択するスイッチ３、４は、上記周波数例のように数１０ＧＨｚ帯で損失が大きく、しかも、切替え数の多い選択回路を構成する場合、切替え数の少ないスイッチを多段接続する必要があり、スイッチによる損失のさらなる増加が問題となる。
【００２０】
本発明は、これらの問題を解決して、目的信号の周波数可変幅が中間周波数より広い場合であっても、少ないフィルタで、ミキサの出力信号に含まれるローカル信号のリーク成分や低次のマルチプルレスポンス成分を目的信号に対して十分抑圧させることができ、フィルタの出力信号のレベルから目的信号のレベルを正確に把握でき、低コスト化、小型化が可能な信号発生器およびその信号発生方法を提供することを目的としている。
【課題を解決するための手段】
【００２１】
前記目的を達成するために、本発明の請求項１の信号発生器は、
所定周波数の中間周波信号を生成出力する中間周波信号発生回路（２１）と、
所定範囲で周波数可変されるローカル信号を出力するローカル信号発生回路（２７）、前記ローカル信号と前記中間周波信号とを混合するミキサ（２６）、前記ミキサの出力から、前記中間周波信号と前記ローカル信号の和の周波数成分または差の周波数成分を目的信号として抽出するためのフィルタ回路（２８）を含む周波数変換回路（２５）と、
前記周波数変換回路に入力する前記中間周波信号のレベルを可変するための第１のレベル可変手段（２２）と、
前記周波数変換回路から出力された信号を受けてそのレベルを可変して出力する第２のレベル可変手段（３０）と、
前記目的信号の所望の周波数を指定させる目的信号周波数指定手段（５１）と、
前記目的信号周波数指定手段で指定された目的信号の周波数に対応するローカル信号の周波数を、前記周波数変換回路に設定するローカル信号周波数設定手段（５２）と、
前記指定された目的信号の周波数に対応する前記ローカル信号の周波数と、前記中間周波信号と前記ローカル信号とで生じる低次のマルチプルレスポンス成分の周波数がともに前記フィルタ回路の通過帯域の外側にある場合には、前記第２のレベル可変手段から出力される信号のレベルが目標値となるために必要な前記第１のレベル可変手段の利得を第１の基準値、前記第２のレベル可変手段の利得を第２の基準値とし、前記ローカル信号の周波数が前記フィルタ回路の通過帯域の外側にあり、且つ、前記低次のマルチプルレスポンス成分の周波数が前記フィルタ回路の通過帯域の内側にある場合には、前記第１のレベル可変手段の利得を、前記第１の基準値より、前記ミキサの出力信号に含まれる前記目的信号のレベルに対して前記低次のマルチプルレスポンス成分の最大レベルを許容値以下にするために必要な第１の所定量分小さい値にするとともに、前記第２のレベル可変手段の利得を前記第２の基準値より前記第１の所定量だけ大きな値とし、前記ローカル信号の周波数が前記フィルタ回路の通過帯域の内側にあり、且つ、前記低次のマルチプルレスポンス成分の周波数が前記フィルタ回路の通過帯域の外側にある場合には、前記第１のレベル可変手段の利得を、前記第１の基準値より、前記ミキサの出力信号に含まれる前記目的信号のレベルに対して前記ローカル信号のリーク成分のレベルを前記許容値以下にするために必要な第２の所定量だけ大きな値にするとともに、前記第２のレベル可変手段の利得を前記第２の基準値より前記第２の所定量だけ少ない値とする利得設定手段（５３）とを備えていることを特徴とする。
【００２２】
本発明の請求項２の信号発生器は、請求項１記載の信号発生器において、
前記利得設定手段は、予め目的信号の周波数毎に、前記第１のレベル可変手段および第２のレベル可変手段に設定するための利得値を記憶している利得情報記憶手段（５４）から利得値を読み出して前記第１のレベル可変手段および第２のレベル可変手段に設定することを特徴とする。
【００２３】
また、本発明の請求項３の信号発生器は、請求項１または請求項２記載の信号発生器において、
前記目的信号の周波数毎に前記第２のレベル可変手段から出力される信号のレベルまたは該レベルと前記目標値との差のデータを補正データとして記憶している補正データ記憶手段（５６）と、
前記補正データ記憶手段に記憶されている補正データにより、前記周波数変換回路に入力される前記中間周波信号のレベルまたは前記第２のレベル可変手段から出力される信号のレベルを補正して、第２のレベル可変手段から出力される信号のレベルを前記目標値に一致させるレベル誤差補正手段（５７）とを備えたことを特徴とする。
【００２４】
また、本発明の請求項４の信号発生器は、請求項１または請求項２記載の信号発生器において、
前記第２のレベル可変手段から出力される信号のレベルを検出するためのレベル検出手段（３５）と、
前記レベル検出手段によって検出されるレベルが前記目標値に一致するように、前記周波数変換回路に入力される前記中間周波信号のレベルまたは前記第２のレベル可変手段から出力される信号のレベルを補正するレベル誤差補正手段（５７′）が設けられていることを特徴とする。
【００２５】
また、本発明の請求項５の信号発生器は、請求項１〜４のいずれかに記載の信号発生器において、
前記周波数変換回路の前記フィルタ回路は、通過帯域が異なる複数のフィルタ（２８ａ、２８ｂ）と、該複数のフィルタのうち、前記目的信号の周波数を通過させるフィルタを選択的に用いるスイッチ（２９ａ、２９ｂ）とを有しており、
前記利得設定手段は、前記複数のフィルタの各通過帯域毎に、前記第１のレベル可変手段および第２のレベル可変手段の利得を設定することを特徴とする。
【００２６】
また、本発明の請求項６の信号発生器の信号発生方法は、
所定周波数の中間周波信号を生成出力する中間周波信号発生回路（２１）と、
所定範囲で周波数可変されるローカル信号を出力するローカル信号発生回路（２７）、前記ローカル信号と前記中間周波信号とを混合するミキサ（２６）、前記ミキサの出力から、前記中間周波信号と前記ローカル信号の和の周波数成分または差の周波数成分を目的信号として抽出するためのフィルタ回路（２８）を含む周波数変換回路（２５）と、
前記周波数変換回路に入力する前記中間周波信号のレベルを可変するための第１のレベル可変手段（２２）と、
前記周波数変換回路から出力された信号を受けてそのレベルを可変して出力する第２のレベル可変手段（３０）とを有する信号発生器の信号発生方法であって、
前記目的信号の所望の周波数を指定する段階と、
前記指定した目的信号の周波数に対応するローカル信号の周波数を、前記周波数変換回路に設定する段階と、
前記指定した目的信号の周波数に対応する前記ローカル信号の周波数と、前記中間周波信号と前記ローカル信号とで生じる低次のマルチプルレスポンス成分の周波数がともに前記フィルタ回路の通過帯域の外側にある場合には、前記第２のレベル可変手段から出力される信号のレベルが目標値となるために必要な前記第１のレベル可変手段の利得を第１の基準値、前記第２のレベル可変手段の利得を第２の基準値と設定し、前記ローカル信号の周波数が前記フィルタ回路の通過帯域の外側にあり、且つ、前記低次のマルチプルレスポンス成分の周波数が前記フィルタ回路の通過帯域の内側にある場合には、前記第１のレベル可変手段の利得を、前記第１の基準値より、前記ミキサの出力信号に含まれる前記目的信号のレベルに対して前記低次のマルチプルレスポンス成分の最大レベルを許容値以下にするために必要な第１の所定量分小さい値にするとともに、前記第２のレベル可変手段の利得を前記第２の基準値より前記第１の所定量だけ大きな値に設定し、前記ローカル信号の周波数が前記フィルタ回路の通過帯域の内側にあり、且つ、前記低次のマルチプルレスポンス成分の周波数が前記フィルタ回路の通過帯域の外側にある場合には、前記第１のレベル可変手段の利得を、前記第１の基準値より、前記ミキサの出力信号に含まれる前記目的信号のレベルに対して前記ローカル信号のリーク成分のレベルを前記許容値以下にするために必要な第２の所定量だけ大きな値にするとともに、前記第２のレベル可変手段の利得を前記第２の基準値より前記第２の所定量だけ少ない値に設定する段階とを含むことを特徴とする。
【発明の効果】
【００２７】
このように、本発明では、中間周波数に対して目的信号の周波数可変範囲が広いことで、ローカル信号のリーク成分や低次のマルチプルレスポンス成分の不要信号成分がフィルタ回路の通過帯域に現れる場合であっても、そのフィルタの通過帯域を細かく分けることなく、第１のレベル可変手段と第２のレベル可変手段の利得を相反的に変化させることで、目的信号のレベルに対して不要信号成分を許容値以下に抑圧でき、低コスト化、小型化が可能となる。
【００２８】
また、第２のレベル可変手段から出力される信号のレベルと目標値との差を補正することで、各周波数について目標値に正確にレベルが一致する目的信号を出力させることができる。
【図面の簡単な説明】
【００２９】
【図１】本発明の実施形態の構成図
【図２】実施形態の動作を説明するための図
【図３】実施形態の動作を説明するための図
【図４】実施形態の動作を説明するための図
【図５】本発明の別の実施形態の構成図
【図６】本発明の別の実施形態の構成図
【図７】目的信号の周波数範囲がさらに広い場合の周波数関係図
【図８】図７の周波数例に対応した信号発生器の構成図
【図９】周波数変換回路の構成図
【図１０】周波数可変範囲が狭い場合の周波数変換の周波数関係図
【図１１】周波数可変範囲が広い場合の周波数変換の周波数関係図
【図１２】周波数可変範囲が広い場合に通過帯域を分けたときの周波数関係図
【図１３】通過帯域を分ける場合の周波数変換回路の構成図
【発明を実施するための形態】
【００３０】
以下、図面に基づいて本発明の実施の形態を説明する。
図１は、本発明を適用した信号発生器２０の基本構成を示している。
【００３１】
この信号発生器２０は、中間周波信号発生回路２１、第１のレベル可変手段２２、周波数変換回路２５、第２のレベル可変手段３０、出力端子３１、制御部５０を有しており、所定の中間周波ｆＩＦ（例えば５ＧＨｚ）の中間周波信号ＳＩＦをヘテロダイン方式の周波数変換処理により、より高い周波数ｆＲＦ（例えば２３〜３１ＧＨｚ）の目的信号ＳＲＦに変換して出力する。
【００３２】
中間周波信号発生回路２１は、所定の中間周波ｆＩＦ（例えば５ＧＨｚ）の中間周波信号ＳＩＦを生成出力する。この中間周波信号ＳＩＦは、携帯端末等の通信機器の試験に必要な情報（変調情報だけでなくキャリアの周波数やレベルも含む）を含む（制御部５０による指定可能な）信号であるが、ここでは単純に無変調信号として説明する。
【００３３】
第１のレベル可変手段２２は、中間周波信号発生回路２１が出力する中間周波信号ＳＩＦを受けてそのレベルを可変して出力するためのものであり、可変減衰器、利得可変増幅器あるいはそれらの組合せで構成され、制御部５０から指定された利得Ｇ１で中間周波信号ＳＩＦを増幅あるいは減衰させて出力する。ここでは、第１のレベル可変手段２２を中間周波信号発生回路２１と別に設けた例を示すが、第１のレベル可変手段２２を、中間周波信号発生回路２１内での中間周波信号を生成する処理の途中に設ける場合もある。
【００３４】
第１のレベル可変手段２２から出力された中間周波信号ＳＩＦ′は、周波数変換回路２５の２重平衡型のミキサ（ＤＢＭ）２６に入力され、ローカル信号発生器２７から出力されるローカル信号ＳＬＯＣとミキシングされる。ローカル信号発生器２７は、制御部５０の制御により、出力するローカル信号ＳＬＯＣの周波数ｆＬＯＣを所定範囲（この例では、１８〜２３ＧＨｚ）可変できるものとする。
【００３５】
ミキサ２６の出力信号は、目的信号ＳＲＦの周波数範囲（２３〜３１ＧＨｚ）と等しい通過帯域を有するフィルタ回路２８に入力される。この実施形態のフィルタ回路２８は、単一のバンドパス型のフィルタで構成されるものとするが、後述するように、目的信号ＳＲＦの周波数範囲がさらに広い場合には複数のフィルタを切り替えて用いる場合もある。
【００３６】
この実施形態の周波数例は、中間周波数ｆＩＦ（＝５ＧＨｚ）より目的信号ＳＲＦの周波数可変幅Ｆｗ（＝８ＧＨｚ）が広い例であるから、前記図１１で示したように、目的信号ＳＲＦの周波数ｆＲＦが低域側（２３〜２６ＧＨｚ）の範囲では、２次のマルチプルレスポンス成分ＳＩＭがフィルタの通過帯域の高域側（２８〜３１ＧＨｚ）の範囲に現れ、目的信号ＳＲＦの周波数ｆＲＦが高域側（２８〜３１ＧＨｚ）の範囲では、ローカル信号ＳＬＯＣのリーク成分がフィルタの通過帯域の低域側（２３〜２６ＧＨｚ）の範囲に現れる。また、目的信号ＳＲＦの周波数が上記低域と高域の間にある場合は、２次のマルチプルレスポンス成分ＳＩＭやローカル信号ＳＬＯＣのリーク成分は、フィルタの通過帯域の外側となる。
【００３７】
周波数変換回路２５から出力される信号Ｓout は、第２のレベル可変手段３０に入力される。第２のレベル可変手段３０は、第１のレベル可変手段２２と同様に、可変減衰器、利得可変増幅器あるいはそれらの組合せで構成され、周波数変換回路２５の出力信号Ｓout を受けて、制御部５０から指定された利得Ｇ２で増幅あるいは減衰させて出力する。
【００３８】
第２レベル可変手段３０から出力される信号Ｓout′（ＳＲＦ）は出力端子３１を介して外部に出力される。
【００３９】
制御部５０は、目的信号周波数指定手段５１、ローカル信号周波数設定手段５２、利得設定手段５３、利得情報記憶手段５４を有している。
【００４０】
目的信号周波数指定手段５１は、図示しない操作部などの操作を受けて、出力端子３１から出力しようとする目的信号ＳＲＦの所望の周波数ｆＲＦを指定させ、ローカル信号周波数設定手段５２は、指定された周波数ｆＲＦに対応するローカル信号ＳＬＯＣの周波数ｆＬＯＣを、周波数変換回路２５に設定する。
【００４１】
利得情報記憶手段５４には、目的信号ＳＲＦの周波数の領域毎に、出力端子３１から出力される出力信号Ｓout ′のレベルが、その出力信号に含まれる目的信号ＳＲＦのレベルに対して許容値以下となるために必要な利得Ｇ１、Ｇ２が予め記憶されており、利得設定手段５３は、利得情報記憶手段５４を参照して、指定された目的信号ＳＲＦの周波数に対応する利得Ｇ１、Ｇ２を読み出して第１のレベル可変手段２２と第２のレベル可変手段３０にそれぞれ設定する。
【００４２】
ここで、利得情報記憶手段５４に記憶されている利得値について説明する。
ローカル信号ＳＬＯＣのリーク成分および２次のマルチプルレスポンス成分ＳＩＭがフィルタ回路２８の通過帯域に入らない場合を第１条件とし、その場合の目的信号ＳＲＦの周波数領域を第１条件領域とし、この状態で、信号発生器２０の各部が余裕をもって正常に動作し、出力端子３１に出力される信号のレベル（この場合、目的信号ＳＲＦのレベルと見なせる）が目標値（例えば−１６ｄＢｍ）となるような利得Ｇ１、Ｇ２をそれぞれ基準値Ｇr1、Ｇr2とする。
【００４３】
また、２次のマルチプルレスポンス成分ＳＩＭがフィルタ回路２８の通過帯域の高域側に入り、ローカル信号ＳＬＯＣのリーク成分がフィルタ回路２８の通過帯域の外側ある場合を第２条件とし、その場合の目的信号ＳＲＦの周波数領域を第２条件領域とする。この場合、問題となる２次のマルチプルレスポンス成分ＳＩＭのレベルが、中間周波数信号のレベルの減少量に対して、次数倍で減少する性質を有していることを利用し、第１のレベル可変手段２２の利得Ｇ１を基準値Ｇr1より、所定量ΔＧａ（＞０）だけ小さい値Ｇr1−ΔＧａとし、ミキサ出力に現れる２次のマルチプルレスポンス成分ＳＩＭのレベルを２×ΔＧａ分下げている。そして、その利得低下による目的信号ＳＲＦのレベルダウンを補償するために、第２のレベル可変手段３０の利得Ｇ２を、基準値Ｇr2より所定量ΔＧａ（＞０）だけ大きな値Ｇr2＋ΔＧａとし、出力端子３１から出力される信号のレベルが目標値となるようにしている。
【００４４】
また、ローカル信号ＳＬＯＣのリーク成分がフィルタ回路２８の通過帯域の低域側に入り、２次のマルチプルレスポンス成分ＳＩＭがフィルタ回路２８の通過帯域の外側ある場合を第３条件とし、その場合の目的信号ＳＲＦの周波数領域を第３条件領域とする。この場合は、ミキサ出力に現れるリーク成分のレベルが、目的信号ＳＲＦのレベルに対して許容値以下となるように、第１のレベル可変手段２２の利得Ｇ１を基準値Ｇr1より所定量ΔＧｂ（＞０）だけ大きな値Ｇr1＋ΔＧｂとし、その利得増加による目的信号ＳＲＦのレベルアップを補償するために、第２のレベル可変手段３０の利得Ｇ２を、基準値Ｇr2より所定量ΔＧｂ（＞０）だけ小さな値Ｇr2−ΔＧｂとし、出力端子３１から出力される信号のレベルが目標値となるようにしている。
【００４５】
このように、中間周波数に対して、目的信号ＳＲＦの周波数可変範囲（フィルタ回路の通過帯域幅）が広いことで、ローカル信号ＳＬＯＣのリーク成分やマルチプルレスポンス成分ＳＩＭ等の不要信号成分がフィルタの通過帯域に現れる場合であっても、第１のレベル可変手段２２と第２のレベル可変手段３０の利得Ｇ１、Ｇ２を相反的に変化させることで、目的信号ＳＲＦのレベルに対して不要信号成分を許容値以下に抑圧でき、しかも出力端子３１から出力される目的信号ＳＲＦのレベルを目標値に維持できる。
【００４６】
以下、具体的な数値例を挙げて説明する。
第１のレベル可変手段２２および第２のレベル可変手段３０の利得は、第１の基準値Ｇr1、第２の基準値Ｇr2を中心として、信号発生器２０の各部が正常に動作する範囲内で任意に可変できるが、一つの数値例をあげれば、Ｇr1＝Ｇr2＝０（ｄＢ）、中間周波信号発生回路２１が出力する中間周波信号のレベルを−１０ｄＢｍ、ローカル信号ＳＬＯＣのレベル１０ｄＢｍ、ミキサ２６の出力に現れる目的信号ＳＲＦのレベルを−１６ｄＢｍ、ローカル信号ＳＬＯＣのリーク成分のレベルを−３０ｄＢｍ、フィルタ回路２８の通過帯域に入る可能性のある２ｆＩＦ＋ｆＬＯＣの２次のマルチプルレスポンス成分ＳＩＭのレベルを−３０ｄＢｍとする。
【００４７】
図２は、目的信号ＳＲＦの周波数が第１条件を満たす領域にある場合の各成分の周波数関係を表すものであり、前記したように、第１条件では、ローカル信号ＳＬＯＣのリーク成分や２ｆＩＦ＋ｆＬＯＣの２次のマルチプルレスポンス成分ＳＩＭは、フィルタ回路２８の通過帯域外にあり、図２の（ａ）のように、フィルタ回路２８の通過帯域内のミキサ２６の出力には、目的信号ＳＲＦのレベルに対して無視できない大きさの不要信号成分はなく、フィルタ回路２８の出力信号のレベルが目的信号ＳＲＦのレベルに対応しているとみなすことができる。上記数値例でいえば、第２のレベル可変手段３０から出力される目的信号ＳＲＦのレベルは、図２の（ｂ）のように、フィルタ回路２８の通過帯域の損失を０ｄＢとすれば−１６ｄＢｍとなる。また、フィルタ回路２８の通過帯域の外にあるローカル信号ＳＬＯＣのリーク成分や２ｆＩＦ＋ｆＬＯＣの２次のマルチプルレスポンス成分ＳＩＭは、フィルタ回路２８を通過する際に大きく（例えば４０ｄＢ以上）減衰されるので、目的信号ＳＲＦのレベルへの影響は無視できる。
【００４８】
また、目的信号の周波数が第２条件を満たす領域にある場合には、第１のレベル可変手段２２の利得を第１の基準値Ｇr1より第１の所定量ΔＧａだけ少ない値Ｇr1−ΔＧａとし、この利得低下分を補償するために、第２のレベル可変手段３０の利得を第２の基準値Ｇr2より第１の所定量だけ大きな値Ｇr2＋ΔＧａとする。
【００４９】
第１の所定量ΔＧａは、ミキサ２６の出力信号に含まれる目的信号ＳＲＦのレベルに対して低次のマルチプルレスポンス成分の最大レベルを許容値（例えば２０ｄＢ：電力換算で１／１００）以下にする値である。
【００５０】
マルチプルレスポンス成分のレベルは、その次数によってレベル応答が変わる。例えば、周波数が２ｆＩＦ＋ｆＬＯＣのマルチプルレスポンス成分ＳＩＭのレベルは、中間周波信号の高調波の次数倍（この場合２倍）で変化し、中間周波信号のレベルを例えば１０ｄＢ下げると、その２倍の２０ｄＢ低下することになる。
【００５１】
したがって、仮に、図３（ａ）に示すように、第１のレベル可変手段２２の利得が第１の基準値Ｇr1（＝０ｄＢ）の状態で、ミキサ２６の出力信号に含まれる目的信号ＳＲＦのレベルが−１６ｄＢｍ、２ｆＩＦ＋ｆＬＯＣのマルチプルレスポンス成分ＳＩＭのレベルが−３０ｄＢｍのときに、前記したように、中間周波信号のレベルを１０ｄＢ下げる（ΔＧａ＝１０）と、図３の（ｂ）のように、目的信号ＳＲＦのレベルも１０ｄＢ下がって−２６ｄＢｍとなるが、２ｆＩＦ＋ｆＬＯＣのマルチプルレスポンス成分ＳＩＭのレベルは、２倍の２０ｄＢ下がって−５０ｄＢｍとなり、目的信号ＳＲＦのレベルに対して、許容値（２０ｄＢ）以下となる。そして、最終的には、第２のレベル可変手段３０の利得を第２の基準値Ｇr2（＝０ｄＢ）より第１の所定量ΔＧａ（＝１０）だけ大きな値１０ｄＢにするので、図３の（ｃ）のように、第２のレベル可変手段３０から出力される目的信号ＳＲＦのレベルは元のレベル（−１６ｄＢｍ）に戻り、マルチプルレスポンスＳＩＭのレベルは１０ｄＢ大きくなって−４０ｄＢｍとなり、目的信号ＳＲＦに対して許容値（２０ｄＢ）以下となる。この場合、通過帯域の外にあるローカル信号ＳＬＯＣのリーク成分ＳＬＯＣ′はフィルタ回路２８を通過する際に大きく減衰されるので、第２のレベル可変手段３０により１０ｄＢ増幅されても、マルチプルレスポンスＳＩＭのレベルより十分低く、目的信号ＳＲＦのレベルへの影響は無視できる。
【００５２】
また、目的信号ＳＲＦの周波数が第３条件を満たす領域にある場合には、第１のレベル可変手段２２の利得を、第１の基準値Ｇr1より第２の所定量ΔＧｂだけ大きな値Ｇr1＋ΔＧｂとし、この利得増加分を補償するために、第２のレベル可変手段３０の利得を第２の基準値Ｇr2より第２の所定量ΔＧｂだけ小さな値Ｇr2−ΔＧａとする。
【００５３】
ここで、第２の所定量ΔＧｂは、ミキサ２６の出力信号に含まれる目的信号ＳＲＦのレベルに対してローカル信号ＳＬＯＣのリーク成分ＳＬＯＣ′のレベルを相対的に前記許容値以下にする値である。
【００５４】
したがって、図４（ａ）に示すように、仮に、第１のレベル可変手段２２の利得が第１の基準値Ｇr1（＝０）のときのミキサ２６の出力信号に含まれる目的信号ＳＲＦのレベルが−１６ｄＢｍ、ローカル信号ＳＬＯＣのリーク成分ＳＬＯＣ′のレベルが−３０ｄＢｍのときに、前記したように、中間周波信号のレベルを１０ｄＢ上げる（ΔＧｂ＝１０）と、図４の（ｂ）のように、目的信号ＳＲＦのレベルが１０ｄＢ上がって−６ｄＢｍとなり、ローカル信号ＳＬＯＣのリーク成分ＳＬＯＣ′のレベルに対して許容値（２０ｄＢ）以上となる。そして、最終的には、第２のレベル可変手段３０の利得を第２の基準値Ｇr2（例えば０ｄＢ）より第２の所定量ΔＧｂ（＝１０）だけ小さな値−１０ｄＢにするので、図４の（ｃ）のように、第２のレベル可変手段３０から出力される目的信号ＳＲＦのレベルは元のレベル（−１６ｄＢｍ）に戻り、リーク成分ＳＬＯＣ′のレベルも１０ｄＢ小さくなって−４０ｄＢｍとなり、目的信号ＳＲＦに対して許容値（２０ｄＢ）以下となる。この場合、中間周波信号のレベルの増加に伴い、ミキサ出力において２次のマルチプルレスポンス成分ＳＩＭのレベルが−１０ｄＢｍまで増加するが、フィルタ回路２８を通過する際に大きく減衰され、しかも第２のレベル可変手段３０によってさらに１０ｄＢ減衰されるので、ローカル信号のリーク成分ＳＬＯＣ′のレベルよりも十分低く、目的信号ＳＲＦのレベルへの影響は無視できる。
【００５５】
このように第１のレベル可変手段２２により周波数変換回路２５に入力される中間周波信号のレベルを増減変化させることで、低次のマルチプルレスポンス成分あるいはローカル信号のリーク成分がフィルタ回路２８の通過帯域に入っていても、そのレベルを目的信号ＳＲＦに対して許容値以下にすることができ、第１のレベル可変手段２２で中間周波信号のレベルを増減したことで増減変化する目的信号ＳＲＦのレベルを、第２のレベル可変手段３０の利得の逆の増減変化で補償して戻すことができ、第２のレベル可変手段３０から出力される信号のレベルを常に目的信号ＳＲＦのレベルに許容誤差内で一致した状態を維持することができる。
【００５６】
なお、上記実施形態の信号発生器２０は、出力端子３１から出力される信号Ｓout′のレベルが目的信号ＳＲＦのレベルに高い確度で一致していると見なせるので、図５に示しているように、出力端子３１に接続したパワー計６０で出力信号の実際のパワーＰout を周波数毎に測定し、この測定値あるい測定値と目標値との差（利得誤差でもよい)を補正データとして補正データ記憶手段５６に記憶しておき、この補正データを用いて目的信号ＳＲＦの出力レベルをより厳密に管理することができる。
【００５７】
例えば、図５に示しているように、レベル誤差補正手段５７が、指定された目的信号ＳＲＦの周波数に対応する補正データ（レベル誤差、利得誤差）を用いて、第２のレベル可変手段３０の利得を補正したり、周波数変換回路２５に対する中間周波信号の入力レベルを補正すれば、出力端子３１から出力される信号のレベルを目標値に正確に合わせることができる。
【００５８】
また、上記補正データを取得するために、図６に示すように、第２のレベル可変手段３０から出力される信号のレベルを検波器等からなるレベル検出器３５により検出する構成も可能である。
【００５９】
この構成の場合、第２のレベル可変手段３０の出力信号をカプラ３２で分岐し、その一方を出力端子３１に入力し、他方をレベル検出器３５に入力するので、第２のレベル可変手段３０の出力信号のレベルに対して、出力端子３１およびレベル検出器３５に入力される信号レベルが低下するが、仮に、カプラ３２の損失が無く、分岐比が１対１であれば、レベル検出器３５で検出されるレベルは、出力端子３１から出力される信号のレベルに等しくなる。
【００６０】
したがって、レベル誤差補正手段５７′により、指定された目的信号の周波数毎に検出したレベル（パワー）を目標値に一致させるための利得誤差（検出値と目標値とのレベル差でもよい）を求め、この誤差により第２のレベル可変手段３０の利得を補正したり、周波数変換回路２５に対する中間周波信号ＳＩＦの入力レベルを補正すれば、出力端子３１から出力される信号のレベルを目標値に正確に合わせることができる。なお、この誤差の情報を図示しない記憶手段に記憶しておき、定常時は、記憶されている誤差データを用いて、校正が必要なタイミングに、レベル検出器３５で新たに各周波数毎の信号レベルを検出し、その検出レベルから新たな誤差情報を求めて記憶手段の記憶内容を更新することも可能である。
【００６１】
前記実施形態では、中間周波数に対して、目的信号ＳＲＦの周波数範囲が広い場合の例として、中間周波数５ＧＨｚ、ローカル信号ＳＬＯＣの周波数範囲２２±４ＧＨｚ、目的信号ＳＲＦの周波数範囲２７±４ＧＨｚの例を説明したが、この周波数例では、目的信号ＳＲＦの周波数に対して、ローカル信号ＳＬＯＣの周波数と２次のマルチプルレスポンス成分ＳＩＭの周波数が同時にフィルタの通過帯域に入るケースは発生しないので、一つのフィルタで対応できた。
【００６２】
しかし、目的信号ＳＲＦの周波数範囲がさらに広い場合には、目的信号ＳＲＦの周波数に対して、ローカル信号ＳＬＯＣの周波数と２次のマルチプルレスポンス成分ＳＩＭの周波数が同時にフィルタの通過帯域に入るケースが発生するので、その場合は、目的信号ＳＲＦの周波数に対して、ローカル信号ＳＬＯＣの周波数と２次のマルチプルレスポンス成分ＳＩＭの周波数が同時に現れないような複数の異なる通過帯域のフィルタを切り替えて用いればよく、従来のように、目的信号ＳＲＦのみを通過させる狭帯域のフィルタを用いる必要はない。
【００６３】
図７は、目的信号ＳＲＦの周波数に対して、ローカル信号ＳＬＯＣの周波数と２次のマルチプルレスポンス成分ＳＩＭの周波数が同時にフィルタの通過帯域に入るケースの周波数関係を示している。
【００６４】
この例は、中間周波数５ＧＨｚ、ローカル信号ＳＬＯＣの周波数範囲２２±６ＧＨｚ、目的信号ＳＲＦの周波数範囲２７±６ＧＨｚの場合であり、横軸を目的信号ＳＲＦの周波数、縦軸を不要信号成分の周波数としている。
【００６５】
目的信号ＳＲＦの周波数ｆＲＦの２１〜３３ＧＨｚまでの変化に対し、ローカル信号ＳＬＯＣの周波数ｆＬＯＣは１６〜２８ＧＨｚまで変化するが、１６〜２１ＧＨｚ未満の範囲では、目的信号ＳＲＦの周波数範囲の下限より低いので考慮しなくてよい。また、２次のマルチプルレスポンス成分ＳＩＭの周波数ｆＩＭは、２６〜３８ＧＨｚまで変化するが、３３ＧＨｚを超える範囲では、目的信号ＳＲＦの周波数範囲の上限より高いので考慮しなくてよい。
【００６６】
また、目的信号ＳＲＦの周波数が２１〜２８ＧＨｚの範囲で、２次のマルチプルレスポンス成分ＳＩＭの周波数が２６〜３３ＧＨｚの範囲に現れ、目的信号ＳＲＦの周波数が２６〜３３ＧＨｚの範囲では、ローカル信号ＳＬＯＣの周波数が２１〜２８ＧＨｚの範囲に現れるので、前記同様に、フィルタの通過帯域を目的信号ＳＲＦの周波数範囲２１〜３３ＧＨｚに設定すると、２次のマルチプルレスポンス成分ＳＩＭとローカル信号ＳＬＯＣのリーク成分の不要信号成分が、共通の目的周波数ＳＲＦに対して同時に現れてしまう。
【００６７】
これを防ぐために、例えば、図７に示しているように、目的信号ＳＲＦの周波数範囲全体を、２１〜２８ＧＨｚの通過帯域Ｂａｎｄ１と、２８〜３３ＧＨｚの通過帯域Ｂａｎｄ２に分ける。通過帯域Ｂａｎｄ１には、目的信号ＳＲＦの周波数が２１〜２３ＧＨｚの範囲のとき、２６〜２８ＧＨｚまでの２次のマルチプルレスポンス成分ＳＩＭのみが現れ、目的信号ＳＲＦの周波数が２６〜２８ＧＨｚの範囲のとき、２１〜２３ＧＨｚまでのローカル信号ＳＬＯＣのリーク成分のみが現れ、目的信号ＳＲＦの周波数が２３〜２６ＧＨｚの範囲で、両方の不要信号成分は現れない（厳密には境界値を考慮する必要がある）。また、通過帯域Ｂａｎｄ２には、目的信号以外の不要信号成分は現れない。
【００６８】
したがって、図８に示すように、フィルタ回路２８を、通過帯域Ｂａｎｄ１のフィルタ２８ａ、通過帯域Ｂａｎｄ２のフィルタ２８ｂおよびこれらを切り替えるスイッチ２９ａ、２９ｂで構成し、利得情報記憶手段５４には、二つのフィルタ２８ａ、２８ｂの通過帯域に対する利得情報を設定しておき、指定された目的信号ＳＲＦの周波数に応じてフィルタの切替制御を行なうフィルタ切替手段５８を設けておけば、２つのフィルタ２８ａ、２８ｂで広い周波数範囲をカバーできる。
【００６９】
上記実施形態では、目的信号ＳＲＦを中間周波信号とローカル信号ＳＬＯＣの和の周波数成分として抽出する場合について説明したが、目的信号ＳＲＦを、中間周波信号ＳＩＦとローカル信号ＳＬＯＣの差の周波数成分として抽出する場合についても本発明を同様に適用できる。
【符号の説明】
【００７０】
２０……信号発生器、２１……中間周波信号発生器、２２……第１のレベル可変手段、２５……周波数変換回路、２６……ミキサ、２７……ローカル信号発生器、２８……フィルタ回路、２８ａ、２８ｂ……フィルタ、２９ａ、２９ｂ……スイッチ、３０……第２のレベル可変手段、３１……出力端子、３２……カプラ、３５……レベル検出器、５０……制御部、５１……目的信号周波数指定手段、５２……ローカル信号周波数設定手段、５３……利得設定手段、５４……利得情報記憶手段、５６……補正データ記憶手段、５７、５７′……レベル誤差補正手段、５８……フィルタ切替手段、６０……パワー計
【図１】
2019080121.tif 000003
【図２】
2019080121.tif 000004
【図３】
2019080121.tif 000005
【図４】
2019080121.tif 000006
【図５】
2019080121.tif 000007
【図６】
2019080121.tif 000008
【図７】
2019080121.tif 000009
【図８】
2019080121.tif 000010
【図９】
2019080121.tif 000011
【図１０】
2019080121.tif 000012
【図１１】
2019080121.tif 000013
【図１２】
2019080121.tif 000014
【図１３】
2019080121.tif 000015